(57)【要約】【課題】分散アンテナシステム（ＤＡＳ）２００、およびＤＡＳ２００によって実行される方法。【解決手段】本願発明は、分散アンテナシステム（ＤＡＳ）２００、およびＤＡＳ２００によって実行される、ＤＡＳの少なくとも１つのデジタルマスターユニット（２０１）が受信した少なくとも１つの基準信号を、ＤＡＳの少なくとも１つのデジタルリモートユニット（２０４）へルーティングする方法に関する。本発明の一態様では、ＤＡＳの少なくとも１つのデジタルマスターユニット（２０１）が受信した少なくとも１つの基準信号を、ＤＡＳの少なくとも１つのデジタルリモートユニット（２０４）へルーティングするように構成されているデジタルＤＡＳ（２００）が提供される。ＤＡＳは、ＤＡＳに、受信した基準信号の強度を測定（Ｓ１０１）させ、少なくとも１つのデジタルリモートユニット（２０４）によりサービスされるカバレッジエリア（２３４）に位置するワイヤレス通信デバイス（２２４）に送信されると受信した基準信号に要求された強度を決定（Ｓ１０２）させ、受信した基準信号が、受信した基準信号の強度が前記少なくとも１つのデジタル遠隔ユニット（２０４）から送信されるとき、要求された強度を達成するように、少なくとも１つのデジタルリモートユニットのアンテナポート（２０４）にルーティングされる際に経由するＤＡＳ（２００）のルーティングパスの利得を調整（Ｓ１０３）させるように構成された少なくとも１つの処理ユニット（２６０）を含む。【選択図】図３
2020511062.tif 000002
【特許請求の範囲】
【請求項１】
ＤＡＳの少なくとも１つのデジタルマスターユニット（２０１）で受信された少なくとも１つの基準信号の、該ＤＡＳの少なくとも１つのデジタルリモートユニット（２０４）へのルーティングのデジタル分散アンテナシステムＤＡＳ（２００）によって実行される方法であって、受信した基準信号の強度を測定するステップ（Ｓ１０１）と、前記少なくとも１つのデジタルリモートユニット（２０４）によってサービスされるカバレッジエリア（２３４）に位置するワイヤレス通信デバイス（２２４）に送信される際に前記受信した基準信号が有するべき要求された強度を決定するステップ（Ｓ１０２）と、前記受信した基準信号は、前記受信した基準信号の強度が、前記少なくとも１つのデジタル遠隔ユニット（２０４）から送信されるとき前記要求された強度を達成するように、前記少なくとも１つのデジタルリモートユニット（２０４）のアンテナポートにルーティングされる経路を介して前記ＤＡＳ（２００）のルーティングパスの利得を調整するステップ（Ｓ１０３）と、を備える、方法。
【請求項２】
前記受信された基準信号が送信された通信システムのタイプを識別するステップ（Ｓ１００）をさらに含み、前記受信された基準信号が持つべきであることを要求される強度である（Ｓ１０２）の決定は、通信システムの前記識別されたタイプで規定されるように決定されるべきであった、請求項１に記載の方法。
【請求項３】
前記受信された基準信号の強度を監視するステップ（Ｓ１０４）と、前記監視基準信号が、前記受信された基準信号の強度が変化したことを示す場合、さらに、ルーティングパスの利得を調整するステップ（Ｓ１０３）と、をさらに含む、請求項１または２に記載の方法。
【請求項４】
前記受信した基準信号の測定された強度が、所定の範囲外である場合、ＤＡＳスーパバイザに警告するステップをさらに含む、請求項１ないし３のいずれか１項に記載の方法。
【請求項５】
前記ルーティングパスの前記利得の前記調整するステップ（Ｓ１０３）は、受信された基準信号が送られ、それを介してルーティングされた前記ルーティングパスに配置された可変利得増幅器（２４０）の利得を調整するステップにより実行される、請求項１ないし４のいずれか１項に記載の方法。
【請求項６】
前記基準信号の前記要求された強度を決定するステップ（Ｓ１０２）は、前記ＤＡＳによりアクセス可能なデータベースから前記要求された強度の事前に設定された値を取得するステップによって実行される、請求項１ないし５のいずれか１項に記載の方法。
【請求項７】
前記ＤＡＳの少なくとも１つのデジタルマスターユニット（２０１）で受信された少なくとも１つの基準信号を、前記ＤＡＳの少なくとも１つのデジタルリモートユニット（２０４）に、ルーティングするように構成されたデジタル分散アンテナシステム（ＤＡＳ）（２００）であって、前記ＤＡＳに、受信した基準信号の強度を測定させ、前記受信した基準信号が、前記少なくとも１つのデジタルリモートユニット（２０４）によってサービスされるカバレッジエリア（２３４）に位置するワイヤレス通信デバイス（２２４）に送信される際に必要である強度を決定させ、受信した基準信号の強度が、前記少なくとも１つのデジタル遠隔ユニット（２０４）からの送信時に要求された強度に達するように、前記受信した基準信号が、前記少なくとも１つのデジタルリモートユニット（２０４）のアンテナポートにルーティングされる、前記ＤＡＳ（２００）のルーティングパスの利得を調整させるように構成された、少なくとも１つの処理ユニット（２６０）を備えるＤＡＳ（２００）。
【請求項８】
前記処理ユニット（２６０）は、前記ＤＡＳに、前記受信した基準信号が送信される通信システムのタイプを識別させるようにさらに構成されており、前記受信した基準信号が有するべき前記要求された強度の決定は、通信システムの前記識別されたタイプによって規定されるように決定される、請求項７に記載のＤＡＳ（２００）。
【請求項９】
前記処理ユニット（２６０）は、前記ＤＡＳに、前記受信した前記基準信号の前記強度を監視させ、監視された基準信号が、前記受信した前記基準信号の強度が変更されたことを示す場合、前記ルーティングパスの前記利得をさらに調整させるようにさらに構成されている、請求項７または８に記載のＤＡＳ（２００）。
【請求項１０】
前記処理ユニット（２６０）は、前記ＤＡＳに、受信した基準信号の測定強度が、事前定義された範囲外である場合に、ＤＡＳスーパーバイザーに警告させるようにさらに構成されている、請求項７ないし９のいずれか１項に記載のＤＡＳ（２００）。
【請求項１１】
前記処理ユニット（２６０）は、前記ＤＡＳに、前記ルーティングパスの前記利得を調整する場合、前記受信した基準信号が経由したルーティングパスに配置された可変利得増幅器（２４０）の利得を調整させるようにさらに構成されている、請求項７ないし１０のいずれか１項に記載のＤＡＳ（２００）。
【請求項１２】
前記処理ユニット（２６０）は、前記ＤＡＳに、前記基準信号の前記要求された強度を決定する場合、前記ＤＡＳによりアクセス可能なデータベースから、前記要求された強度の事前に設定された値を取得させるようにさらに構成されている、請求項７ないし１１のいずれか１項に記載のＤＡＳ（２００）。
【請求項１３】
コンピューター実行可能命令が、ＤＡＳに含まれる処理ユニット（２６０）の上で実行されるとき、ＤＡＳ（２００）に、請求項１ないし６のいずれか１項に記載されたステップを実行させるコンピューター実行可能命令を備えるコンピュータープログラム（２６１）。
【請求項１４】
請求項１３に記載のコンピュータプログラムを有するコンピュータ可読媒体（２６２）を備えるコンピュータープログラム製品。
【発明の詳細な説明】
【技術分野】
【０００１】
本発明は、分散アンテナシステム（ＤＡＳ）、および、ＤＡＳの少なくとも１つのデジタル遠隔ユニットへのＤＡＳの少なくとも１つのデジタルマスタユニットによって受信された少なくとも一つの基準信号をルーティングするＤＡＳによって実行される方法に関する。
【背景技術】
【０００２】
分散アンテナシステム（ＤＡＳ）は、直接、一般的な移動無線ネットワークから提供することができないエリア（例えば、地下鉄システムにおけるトンネル、または、建物複合体）に無線カバレッジを提供するための技術であり、単一ＤＡＳは、多くの無線基地局で使用することができるので、複数の無線サービスのプロバイダが、カバレッジを提供する必要があるアプリケーションにおいて特に有利である。
【０００３】
典型的なデジタルＤＡＳは、図１に示されており、ヘッドエンド装置から構成されている。これは、デジタルマスタユニット（ＤＭＵ）と呼ばれ、多数の無線基地局（ＲＢＳ）１０−１３からダウンリンク信号を受信する。そして、それらを、１つまたは複数のルーティングユニット（ＲＵ）１８を介して、複数のリモートノード１９、２０に、光ファイバー１６、１７上での搬送のために変換する。ここでは、リモートノードを、デジタルリモートユニット（ＤＲＵ）と呼び、光信号を、スマートフォンやタブレットなど、ワイヤレス通信デバイス（ＷＣＤ）２１、２２との間の送受信のために、ＤＲＵ１９、２０によって駆動されるアンテナでブロードキャストできまる無線信号に変換するカバレッジエリアにある。各ＤＲＵ１９、２０は、その接続されたアンテナからのアップリンク信号を受信し、ＤＭＵ１４、１５に戻る、および、ＲＢＳ１０−１３に進む、光ファイバ１６、１７を介した送信のためにそれらを変換する。
【０００４】
現代のアクティブＤＡＳは、図１に示されるように、常にではないが、通常、光ファイバ接続を介して、デジタルサンプルの形式で無線信号を搬送する。デジタルデータ伝送は、どの信号がどのＤＲＵに送られるかをより細かく制御できる無線信号の柔軟なルーティングと配信を可能にする。
【０００５】
基地局信号は、異なるキャリア周波数割り当てに対応するデジタルデータのフィルタリングされたストリームに変換され、アップリンク信号は、同様に、周波数の割当てにしたがってフィルタリングされ、基地局に送り返される。基地局インタフェースは、アナログ（例えば、無線周波数（ＲＦ）ダウンリンクおよびアップリンク信号）または、デジタル（ダウンリンクとアップリンク信号がデジタル形式でエンコードされている）であることができる。
【０００６】
ＤＡＳが正しく設定されている場合、それは、そこを通ってダウンリンクとアップリンク方向に、システムインストーラによって設定された各方向において、適切な利得を有する信号が転送される透明な「パイプ」として見える。
【０００７】
ＤＡＳインストールのコストの大部分は、ＤＡＳのセットアップと委託に要求された工数から来ている。デジタルＤＡＳのために、主なタスクは、（ＤＡＳのデジタルフィルタの中心周波数と帯域幅が適切に設定されているように）基地局によって使用されるキャリア周波数範囲を定義すること、および、カバレッジエリアのそれぞれにおいて、要求された信号レベルが達成されるように、正しい利得パラメータを設定することである。モバイルネットワークオペレーターによる周波数の再ファーミングが発生した場合、特定の技術への周波数範囲の割り当てが変更されるところ、たとえば、レガシーＧＳＭ（登録商標）（Ｇｌｏｂａｌ  Ｓｙｓｔｅｍ  ｆｏｒ  Ｍｏｂｉｌｅ  Ｃｏｍｍｕｎｉｃａｔｉｏｎｓ）システムを、ＬＴＥ（Ｌｏｎｇ  Ｔｅｒｍ  Ｅｖｏｌｕｔｉｏｎ）システムに置き換える場合、この手作業を、さらに繰り返す必要があり、この間、ＤＡＳは無線カバレッジを提供しない。
【先行技術文献】
【特許文献】
【０００８】
【０００９】
【発明の概要】
【００１０】
本発明の目的は、この問題を解決する、あるいは少なくとも、軽減し、したがって、当技術分野において、改善された、１つ以上の基準信号を、ＤＡＳを介して、目的の無線通信デバイスに送信するルーティング方法を提供する。
【００１１】
この目的は、本発明の第１の態様において、ＤＡＳの少なくとも１つのデジタルマスターユニットにより受信した少なくとも１つの基準信号をＤＡＳの少なくとも１つのデジタルリモートユニットへルーティングのデジタル分散アンテナシステム（ＤＡＳ）によって実行される方法によって達成される。この方法は、受信した基準信号の強度の測定するステップと、受信した基準信号が少なくとも１つのデジタルリモートユニットがサービスを提供するカバレッジエリアにある無線通信機器に送信されているときに有するべき要求された強度を決定するするステップと、前記少なくとも１つのデジタル遠隔ユニットから送信されるとき、受信した基準信号の強度が要求された強度に達するように、受信した基準信号が少なくとも１つのデジタルリモートユニットのアンテナポートにルーティングされるべきＤＡＳのルーティングパスの利得を調整するステップとを含む。
【００１２】
この目的は、本発明の第２の態様において、ＤＡＳの少なくとも１つのデジタルマスターユニットで受信された少なくとも１つの基準信号を、ＤＡＳの少なくとも１つのデジタルリモートユニットへルーティングするように構成されたＤＡＳによって達成される。このＤＡＳは、ＤＡＳに、受信した基準信号の強度を測定させ、少なくとも１つのデジタルリモートユニットによりサービスされるカバレッジエリアにある無線通信デバイスに送信されるときに受信した基準信号が有するべき要求された強度を決定させ、受信した基準信号が受信した基準信号の強度が前記少なくとも１つのデジタル遠隔ユニットから送信されるとき要求された強度を達成するように、少なくとも１つのデジタルリモートユニットのアンテナポートにルーティングされるＤＡＳのルーティングパスの利得を調整ように構成された少なくとも１つの処理ユニットを備える。
【００１３】
ＤＡＳインストールにおいて、特定のカバレッジエリアのＤＡＳからの信号は、他の信号よりも優先してＷＣＤが選択する必要がある。建物内設置の例では、これらの他の信号は、建物の外、または、その建物の別の階にあるＤＡＳから別のセクターの出力に位置するマクロ基地局から発信される場合がある。
【００１４】
オペレーターのコアネットワークは、基地局によってブロードキャストされた特定の基準信号のＷＣＤによる測定に基づいてＷＣＤがどのＲＢＳ信号を使用すべきかについて決定を下す。ＲＢＳからＤＭＵおよび特定のカバレッジエリアにサービスを提供するＤＲＵに送信される基準信号の強度は、ＤＡＳからの基準信号レベルが、隣接セルの代替参照信号よりも著しく高いように、十分に高くなければならない。これは、信号ドミナンス（ｓｉｇｎａｌ  ｄｏｍｉｎａｎｃｅ）と呼ばれる。
【００１５】
有利なことに、本発明では、これは、受信した基準信号の強度を測定することにより、例えば、ＤＡＳのＤＲＵを介した特定のＷＣＤ向けの受信した基準信号の実際の電力レベルＬＡの形で、ＤＡＳによって達成される。
【００１６】
さらに、受信した基準信号がサービスされるカバレッジエリアに位置するＷＣＤに送信される際に、有しているべき要求する強度は、ＤＲＵによって決定される。通常、この要求されたレベルは、ＤＡＳを構成するとき、システムインストーラーによって既に決定されており、（たとえば、１つ以上のＤＭＵおよびＤＲＵ内、または個別の制御ユニット内の）ＤＡＳユニットからアクセス可能なデータベースに保存されている。したがって、受信した基準信号が到達する必要がある要求された電力レベルＬＲが決定される。
【００１７】
その後、ＤＡＳは、基準信号がＤＲＵからＷＣＤを提供するカバレッジエリアに送信されるとき実際の電力レベルＬＡが必要な電力レベルＬＲに達するように、受信信号がＤＲＵアンテナポートにルーティングされるルーティングパスの利得を調整する。
【００１８】
有利なことに、記述された実施形態では、ＤＡＳは、これにより、ＤＲＵの信号ドミナンスが有効になる出力レベルを持つ出力信号を生成した。
【００１９】
実施形態では、ＤＡＳは、さらに、受信した基準信号が、送信された通信システムのタイプを識別する。ここで、受信した基準信号が持つべきである要求された強度の決定は、通信システムの識別されたタイプによって規定されていると判断される。有利なことに、これにより、システムインストーラーによるわずかな設定作業のみで、あらゆるタイプの無線通信システムに接続される本発明のＤＡＳが可能になる。
【００２０】
さらなる実施形態では、ＤＡＳは受信した基準信号の強度をさらに監視し、そしてさらに、監視された基準信号が受信した基準信号の強度が変化したことを示す場合、ルーティングパスのゲインを調整する。有利なことに、ＤＡＳに入力される基準信号をＤＡＳで厳密に追跡させることにより、信号レベルの変化に迅速に適応し、信号ドミナンスが維持される。さらに、有利なことは、ＤＡＳは迅速に機能するため、信号ドミナンスが一時的に失われるリスクがないことである。
【００２１】
さらなる実施形態では、受信した基準信号の測定強度が事前に設定された範囲外の場合、たとえば、ＤＡＳルーティングパスを介して要求された強度に到達できない場合に、ＤＡＳはＤＡＳスーパーバイザーに警告する。したがって、ＤＡＳに到達することからの信号を妨げるケーブルの破損などのシステム障害を、有利なことに、迅速に検出および報告できる。
【００２２】
本発明のさらなる実施形態は、詳細な説明に記載される。
【００２３】
一般的に、クレームで使用されるすべての用語は、ここで明示的に定義されていない限り、技術分野での通常の意味にしたがって解釈される「１つの／その（ａ／ａｎ／ｔｈｅ）要素、装置、コンポーネント、手段、ステップなど」へのすべての言及は、特に明記しない限り、要素、装置、コンポーネント、手段、ステップなどの少なくとも１つのインスタンスを参照しているとオープンに解釈される。本明細書に開示された任意の方法のステップは、明示的に述べられない限り、開示された正確な順序で実行される必要はない。
【図面の簡単な説明】
【００２４】
ここで、添付の図面を参照して、本発明を例として説明する。
【図１】図１は、典型的なデジタルＤＡＳを示す図である。
【図２】図２は、無線基地局に接続して、本発明によるＤＡＳの例を示す図である。
【図３】図３は、本発明のＤＡＳを示す図である。各ＤＲＵは、それぞれ、少なくとも一つのＷＣＤを提供するためのカバレッジエリアを提供する。
【図４】図４は、信号ドミナンスを達成するため、本実施形態に係るＤＡＳに基準信号をルーティングする方法を示すフローチャートである。
【図５】図５は、まだ実施形態に係るＤＡＳに基準信号をルーティングする方法を示すフローチャートである。
【図６】図６は、依然として実施形態に係るＤＡＳの信号をルーティングする方法を示すフローチャートである。
【図７】図７は、一方または両方の増幅器およびフィルタのいずれかが、ルーティングパスの利得を調整するためのルーティングパスに配置されている実施形態における、本発明のＤＡＳを示す図である。
【発明を実施するための形態】
【００２５】
次に、本発明を、添付図面を参照して詳細に説明する。添付図面には、本発明の特定の実施形態が示されている。本発明は、しかしながら、多くの異なる形態で具現化することができ、本明細書に記載された実施形態に限定されると解釈されるべきではない。この開示が徹底的かつ完全となり、当業者に完全に本発明の範囲を伝えるように、むしろ、これらの実施形態は例として提供される。同様の数字は、本願説明を通して同様の要素を指す。
【００２６】
図１は、先に背景技術のセクションに記載されている一般的なデジタルＤＡＳを示す図である。
【００２７】
図２は、複数のＲＢＳ２５０、２５１、２５２は、本発明の実施の形態におけるＤＡＳ２００に接続することができる方法の一例を示している。ＲＢＳ−ＤＡＳインタフェースがアナログＲＦ信号を使用する場合は、図２に示すように、キャリア信号は、ＲＢＳ無線ユニット（ＲＵ）から受信される。基地局ベンダーは、キャリアの送信を実装する方法について高い自由度を持っている。ＲＢＳ２５１−２５２は、コアネットワーク２８０に接続されている。
【００２８】
例えば、第１のＲＢＳ２５０に関しては、キャリアは、そのＢＢＵに接続されたいくつかの異なるＲＵ２７１、２７２の上で、ＤＡＳトランスポートネットワーク２０３を介してキャリアをルーティングするＤＡＳ２００の第１のＤＭＵ２０１へ、また、５つのＤＲＵ２０４−２０８の手段によって示されるこの特定の例示的な実施形態では１つ以上のＤＲＵに、異なるキャリアを送信する単一のベースバンドユニット（ＢＢＵ）２７０から生成される。それぞれが、携帯電話、スマートウォッチ、タブレット、自動車用のポータブルＷｉＦｉルーターなどのそれぞれのＤＲＵが提供するように、カバレッジエリアに位置する１つ以上のワイヤレス通信デバイス（ＷＣＤ）にサービスを提供する。
【００２９】
さらに、第２のＲＢＳ２５１の場合、単一のＢＢＵ２７３で、ＤＲＵ２０４−２０８の１つ以上へのさらなるルーティングのために，異なるＲＵ２７４、２７５を介してＤＡＳ２００の複数のＤＭＵ２０１、２０２に送信されるキャリアを生成できる。
【００３０】
代替的に、第３のＲＢＳ２５２は、単一のＲＵ２７７が複数のキャリアを、１つのＢＢＵ２７６からＤＡＳ２００へ送信する場合がある。いくつかのＢＢＵがオペレーターのコアネットワーク２８０を介して接続されており、１つのＢＢＵが１セットのキャリアを送信し、もう１つのＢＢＵが別のセットのキャリアを送信するように、互いに調整することも可能である。
【００３１】
ＤＡＳ２００は無線信号をデジタル信号にエアインタフェース２９０を介して受信変換し、その後、ＤＲＵに接続されたＤＡＳアンテナを介した送信するために、次に、ＤＲＵ２０４−２０８でＲＦ信号に変換される各キャリアに対して個別のデジタルデータストリームを生成するために、ダウンリンク方向における、異なるキャリアをフィルタリングし除外する。
【００３２】
この特定の例では、アナログＲＢＳ−ＤＡＳのインターフェースが示されている。なお、本発明は、ＲＢＳ−ＤＡＳインターフェイスがデジタルである場合にも、同様に適用可能であることに留意する。
【００３３】
図３は、各ＤＲＵ２０４−２０８が、それぞれ、少なくとも一つのＷＣＤ２３４−２３８にサービスを提供するためのカバレッジエリア２２４−２２８を提供する、本発明のＤＡＳ２００を示す。
【００３４】
ＤＡＳのインストールの目的の一つは、特定のカバレッジエリアのためのＤＡＳからの信号が、他の信号よりも優先にＷＣＤによって選択されるべきであるということである。建物内での設置例では、これらの他の信号は、建物の外にあるマクロ基地局から、または、建物の別の階にあるＤＡＳからの異なるセクター出力から発信される可能性がある。
【００３５】
例えば、第１のＷＣＤ２２４が第１のＤＲＵ２０４によって提供される第１のカバーエリア２３４に位置している限り、第１のＷＣＤ２２４は、第１のＤＲＵ２０４によって送信された信号を選択する必要がある。第１のＤＲＵ２２４が第２のカバレッジエリア２３５に交差する場合、および、そのとき、第１のＷＣＤ２２４は、好ましくは、第２のＤＲＵ２０５によって送信された信号を選択すべきである。
【００３６】
事業者のコアネットワークは、基地局によってブロードキャストされた特定の基準信号のＷＣＤによる測定に基づいて、ＷＣＤが、どのＲＢＳ信号を使用するべきかについて決定を下す。例えば、ＬＴＥシステムでは、特定の直交周波数分割多重（ＯＦＤＭ）キャリアとタイムスロットが、基準信号受信電力（ＲＳＲＰ）として知られる尺度を与えるためセル固有の基準信号（Ｃ−ＲＳ）用に予約されている。広帯域符号分割多元接続（ＷＣＤＭＡ）システムでは、特定の拡散符号は、同様の目的を果たす共通パイロットチャネル（ＣＰＩＣＨ）を定義する。ＧＳＭ（登録商標）において、ＲＢＳ受信信号強度インジケータ（ＲＳＳＩ）は、ＲＢＳからのブロードキャストチャネル（ＢＣＨ）で多重化された周波数制御チャネル（ＦＣＣＨ）の測定に基づいている。
【００３７】
ＲＢＳからＤＭＵに、また、特定のカバレッジエリアにサービスを提供するＤＲＵへ送信される基準信号の強度は、ＤＡＳからの基準信号レベルが、隣接セルの代替基準信号よりも著しく高いように、十分に高くなければならない。これは、信号ドミナンスと呼ばれる。
【００３８】
図４は、信号ドミナンスを達成するために、本実施形態に係るＤＡＳに基準信号をルーティングする方法を示すフローチャートである。
【００３９】
したがって、ＲＢＳからの基準信号を受信すると、ＤＡＳ２００は、ステップＳ１０１において、ＤＡＳによって転送される変調波形の種類に応じて動作可能な追加の信号処理の手段によって、受信した基準信号の強度を決定する。したがって、第１のＤＭＵ２０１は基準信号を受信して、例えば、第１のＤＲＵ２０４がサービスを提供する第１のＷＣＤ２２４を対象として、受信した基準信号の実際の電力レベルＬＡを測定する。
【００４０】
さらに、ステップＳ１０２において、受信した基準信号が、第１のＤＲＵ２０４によってサービス第カバレッジエリア２３４に配置された第１のＷＣＤ２２４に送信される際に持つべきであることが要求される強度が、決定される。通常、ＤＡＳ２００を構成し、ＤＭＵ２０１、２０２からアクセス可能なＤＡＳデータベースに保存されている場合、この必要なレベルはすでに決定されている。したがって、受信した基準信号が到達する必要がある必要な電力レベルＬＲが、決定される。
【００４１】
ＤＲＵの出力で必要な基準信号レベルＬＲは、以下の、主に２つのパラメーターによって定義される。
●  ＤＡＳ信号が支配的である必要がある、他の潜在的な信号源のカバレッジエリアの端の信号強度、
●  カバーするエリアのサイズと、その特定のＤＲＵに接続されたアンテナシステムによる損失とに依存するカバレッジエリアの端にあるＤＲＵからＷＣＤへのパス損失。
【００４２】
第１のパラメータは、信号レベルをログに記録するように設計された特別のＷＣＤを用いて、システムのインストール時の歩行試験によって測定される。第２のパラメーターは、たとえば、ＤＲＵの出力で既知のレベルでパイロットトーンを生成することによって、測定可能である（ＤＲＵは通常、特定のデジタル信号レベルの出力が正確にわかるように工場で調整済みである）。
【００４３】
したがって、ステップＳ１０２で基準信号の要求強度ＬＲを決定すると、ＤＡＳ２００は、一実施形態では、例えば、ＤＡＳ２００からアクセス可能なデータベースからシステムインストーラーによって事前設定された値セットを検索することで、要求された強度ＬＲを取得することができる。
【００４４】
これは、ダウンリンク利得設定に必要な信号レベルを変換する現在のＤＡＳシステムにおいて非自明である。ＲＢＳは、典型的には、ＲＢＳ−ＤＡＳインタフェースにわたって未知の損失を引き起こす、ハイパワー減衰器と同軸ＲＦケーブルを介して接続されている。ＲＢＳからの信号は、基準信号だけでなく、他の送信も含む。最新のデジタルＤＭＵでは、入力電力レベルを正確に測定できるが、しかし、対象の特定の基準信号を他のトラフィック信号と区別することはできない（ＲＢＳに接続されているＷＣＤの数によっても異なる）。送信される変調された波形の詳細を意識することなく、受信信号を転送するための「パイプ」としてのみ機能するためである。
【００４５】
次に、ステップＳ１０３では、ＤＡＳ２００は、基準信号が第１のＤＲＵ２０４から、第１のＷＣＤ２２４にサービスを提供するカバレッジエリア２２４に送信されているとき、実際の電力レベルＬＡが必要な電力レベルＬＲに達するように、受信信号が、これを介して第１のＤＲＵ２０４にルーティングされるＤＡＳ２００のルーティングパスの利得を調整する。
【００４６】
有利には、本実施形態で、ＤＡＳ２００は、第１のＤＲＵ２０４のための信号ドミナンスを可能にする電力レベルを有する出力信号を生成した。
【００４７】
再び、本発明の一実施形態におけるＤＡＳ２００を示す図３を参照すると、ＤＡＳ２００によって実行される方法のステップは、実際には、ランダムアクセスメモリ（ＲＡＭ）、フラッシュメモリ、ハードディスクドライブなどの、マイクロプロセッサに関連付けられた記憶媒体２６２にダウンロードされた、コンピュータプログラム２６１を実行するように構成された、１つ以上のマイクロプロセッサの形で具体化された処理ユニット２６０によって実行される。処理ユニット２６０は、ＤＡＳ２００に、コンピュータ実行可能命令を含む適切なコンピュータプログラム２６１が記憶媒体２６２にダウンロードされ、処理ユニット２６０によって実行されるときに、実施形態による方法を実行させるように構成される。記憶媒体２６２は、コンピュータプログラム２６１を含むコンピュータプログラム製品であることができる。代替的に、コンピュータプログラム２６１は、デジタル多用途ディスク（ＤＶＤ）やメモリースティックなど、適切なコンピュータープログラム製品を使用して、記憶媒体２６２に転送されることができる。さらに代替的に、コンピュータプログラム２６１は、ネットワークを介して記憶媒体２６２にダウンロードされることができる。あるいは、処理ユニット２６０は、デジタル信号プロセッサ（ＤＳＰ）、特定用途向け集積回路（ＡＳＩＣ）、フィールドプログラマブルゲートアレイ（ＦＰＧＡ）、複雑なプログラマブルロジックデバイス（ＣＰＬＤ）などの形で、具体化されることができる。
【００４８】
通常、ＤＭＵ２０１、２０２、およびＤＡＳトランスポートネットワーク２０３のそれぞれが、ＤＲＵ２０４−２０８と同様に、適切な操作を実行するために、これらまたは類似のコンポーネントを構成する。
【００４９】
次に、本発明では、これらの処理ユニット２６０は、有利に、それぞれの規格の受信基準信号を識別できるようにするため、ＤＡＳ２００が接続されている通信システムに必要な標準をサポートし、そして、意図されたＷＣＤに送信されたときに、ＤＲＵのアンテナポートおいて、基準信号が有するべき必要な信号レベルＬＲを決定するように構成されている。
【００５０】
図５は、さらに一実施形態によれば、信号ドミナンスを達成するための、ＤＡＳにおいて基準信号をルーティングする方法を示すフローチャートを示している。
【００５１】
この特定の実施形態では、ステップＳ１０１で受信信号の強度を決定する前または後に（この例示的な実施形態では、前に）、ＤＡＳ２００は、ステップＳ１００で、受信信号の送信元である通信システムのタイプを識別する。
【００５２】
したがって、ＲＢＳから受信した信号は、ＤＡＳ２００によって分析される。これは、たとえば、ＧＳＭ（登録商標）、ＬＴＥ、ＷＣＤＭＡ、または、ユニバーサルモバイルテレコミュニケーションシステム（ＵＭＴＳ）システムなどの信号の発信元を特定する。
【００５３】
識別されたネットワークシステムのタイプに応じて、信号の要求された強度が設定される。換言すれば、受信信号に要求された強度の決定は、通信システムの識別されたタイプによって規定されるように決定される。
【００５４】
前述したように、例えばＬＴＥシステムでは、特定のＯＦＤＭキャリアおよびタイムスロットは、基準信号受電電力（ＲＳＲＰ）として知られている尺度を与えるために、セル固有基準信号Ｃ−ＲＳのために確保されている。
【００５５】
したがって、ＤＡＳ２００は、ステップＳ１００において、たとえば、事前設定により、ＤＡＳが特定のキャリアをルーティングするように構成されている場合、基準信号の発信元の通信システムがＬＴＥシステムであることを特定する。ここで、ＤＡＳ２００は、（制御データとペイロードデータを含む）受信したＬＴＥ送信からＣ−ＲＳを抽出し、ステップＳ１０２において、特定の送信に関連付けられたＬＲの事前に保存された値と、ＤＡＳ２００のセットアップ時にシステムインストーラーによって設定される宛先ＤＲＵとを取得することによって、必要な基準信号レベルＬＲを決定する。
【００５６】
ＬＲを決定する前または後に、ステップＳ１０１において、Ｃ−ＲＳの実際の信号レベルＬＡが測定され、そして、選択したルーティングパスの利得が、基準信号Ｃ−ＲＳが、第１のＤＲＵ２０４から、第１のＤＲＵ２０４によってサービスされるカバレッジエリア２３４に位置する第１のＷＣＤ２２４に送信されるとき、ＬＡ＝ＬＤとなるように、調整される。
【００５７】
有利なことに、本実施形態では、本発明のＤＡＳ２００は、ＤＡＳ２００が、目的のＷＣＤにルーティングすることで、信号の種類の観点から、純粋に透明な「パイプ」ではなくなるように増強されている。しかし、搬送される信号の特定のプロトコルを認識している。このプロトコルは、信号の発信元の通信システムのタイプの要件にしたがって構成されている。
【００５８】
このように、図３を参照して前述したように、ＤＡＳ２００は、（処理ユニット２６０を使用して）測定に必要な物理層信号処理を実装する。そして、基準信号レベルＬＡを決定する。この信号処理は、リアルタイムの要件がないため、ＤＡＳに対して最適化することができる。単一の処理ユニット２６０で、多数の基地局入力に対して順次測定を順番に実行して、オフライン処理を実行できる。
【００５９】
図６は、依然として実施形態に係るＤＡＳの信号をルーティングする方法を示すフローチャートである。
【００６０】
次に、ＤＡＳ２００は、ステップＳ１０４で、受信した基準信号の強度を監視し、この信号は、ＲＢＳからＤＡＳ２００に継続的に送信され、そして、ＤＡＳ２００が実際の電力レベルＬＡの変化を検出した場合、ＤＡＳ２００はステップＳ１０３に戻り、そして基準信号の電力レベルが必要なレベルＬＲ、つまりＬＡ＝ＬＲであることを保証するために、ＬＡの変更に対応するために、ルーティングパスの利得をさらに調整する。実際の信号レベルＬＡに変化がない場合は、現在のルーティングパス利得が維持される。
【００６１】
さらに別の実施形態では、受信した基準信号の測定強度ＬＡが定義済みの範囲外の場合、たとえば、ＤＡＳルーティングパスを介して要求された強度ＬＲに到達できない場合、ＤＡＳはＤＡＳスーパーバイザーに警告する。たとえば、信号がＤＡＳ２００に到達するのを妨げるケーブル配線の破損など、スーパーバイザにシステム障害を示すので、これは有利である。
【００６２】
図７は、一実施形態における本発明のＤＡＳ２００を示す。ここで、第１のＤＲＵ２０４の出力において、必要な電力レベルＬＲを持つ基準信号を提供することを目的として、ルーティングパスの利得を調整するために、増幅器２４０がルーティングパスに配置されている。
【００６３】
したがって、それを経由して受信した基準信号が第１ＤＭＵ２０１から第１ＤＲＵ２０４に搬送されるルーティングパスの利得は、可変利得増幅器２４０によって制御されることができる。増幅器２４０は、アナログまたはデジタルタイプのものであり得る。図７の増幅器２４０は、ＤＡＳのルーティングユニット内など、ＤＡＳトランスポートネットワーク２０３に配置されるように示されているが、増幅器２４０は、たとえば、ＤＭＵ２０１またはＤＲＵ２０４など、ルーティングパスのどこにでも配置することができることに、さらに留意する。増幅器２４０は、ルーティングパスの異なるセクションに物理的に配置された多数の個別のコンポーネントで構成された分布利得段（ｄｉｓｔｒｉｂｕｔｅｄ  ｇａｉｎ  ｓｔａｇｅ）により具現化されることができることに、さらに留意する。
【００６４】
本発明は、主に、いくつかの実施形態を参照して説明した。しかしながら、当業者には容易に理解されるように、上記で開示したもの以外の実施形態は、添付の特許請求の範囲で定義されているような本発明の範囲内にあるのと同様に可能である。
【図１】
2020511062.tif 000003
【図２】
2020511062.tif 000004
【図３】
2020511062.tif 000005
【図４】
2020511062.tif 000006
【図５】
2020511062.tif 000007
【図６】
2020511062.tif 000008
【図７】
2020511062.tif 000009
【手続補正書】
【提出日】令和1年10月24日(2019.10.24)
【手続補正１】
【補正対象書類名】明細書
【補正対象項目名】０００８
【補正方法】変更
【補正の内容】
【０００８】
【特許文献１】米国特許出願公開第２０１３／０７１１１２号明細書
【特許文献２】国際公開第１９９７／２９６０８号
【手続補正２】
【補正対象書類名】明細書
【補正対象項目名】０００９
【補正方法】変更
【補正の内容】
【０００９】
［米国特許出願公開第２０１３／０７１１１２号明細書］
米国特許出願公開第２０１３／０７１１１２号明細書は、通信システム用の構成サブシステムを開示している。この構成サブシステムは、テスト信号発生器、電力測定デバイス、少なくとも１つの追加の電力測定デバイス、および、コントローラを備えている。このテスト信号発生器は、通信システムのコンポーネントに統合できる。このテスト信号発生器は、通信システムの信号パスにテスト信号を提供できる。電力測定デバイスと追加の電力測定デバイスは、それぞれ、通信システムのさまざまなコンポーネントに統合できる。電力測定デバイスと追加の電力測定デバイスは、それぞれ、信号パスにおける異なる測定ポイントで、テスト信号のパワーを測定できる。コントローラは、電力測定デバイスと追加の電力測定デバイスからの測定に基づいて、信号パスのパスゲインを調整することにより、通信システムを介して送信される信号を正規化できる。
［国際公開第１９９７／２９６０８号］
国際公開第１９９７／２９６０８号は、ケーブルテレビ・プラントでパーソナル通信システムを統合する方法および装置を開示している。無線アンテナデバイス（ＲＡＤ）のセットが、ケーブル・プラントに接続されている。ＲＡＤは、リモートユニットへの無線伝送のためにケーブル・プラントから受信した信号の周波数変換と電力制御を提供する。ＲＡＤは、また、ケーブル・プラントへ、ＲＡＤによって送信するために、リモートユニットから受信した無線信号の電力制御と周波数変換も提供する。標準の基地局と集中コントローラの機能に加えて、ＣＡＴＶ基地局は、ケーブル・プラントのゲインの変動も補償しなければならない。ダウンストリーム電力制御は、効率を最大にするために、ＣＤＭＡ信号内に隠すことができるＲＡＤ基準信号によって規制されている。
【手続補正３】
【補正対象書類名】特許請求の範囲
【補正対象項目名】全文
【補正方法】変更
【補正の内容】
【特許請求の範囲】
【請求項１】
ＤＡＳの少なくとも１つのデジタルマスターユニット（２０１）で受信された少なくとも１つの基準信号を、前記ＤＡＳの少なくとも１つのデジタルリモートユニット（２０４）に、ルーティングするＤＡＳ（デジタル分散アンテナシステム）（２００）によって実行される方法であって、
前記方法は、
前記受信した基準信号が送信される通信システムのタイプを識別するステップ（Ｓ１００）と、
受信した基準信号の強度を測定するステップ（Ｓ１０１）と、
前記少なくとも１つのデジタルリモートユニット（２０４）によりサービスされるカバレッジエリア（２３４）に位置するワイヤレス通信デバイス（２２４）に送信される際に前記受信した基準信号が有するべき要求された強度を決定するステップ（Ｓ１０２）であって、前記受信した基準信号が有するべき前記要求された強度を決定する該ステップが、通信システムの前記識別されたタイプによって規定されるように決定される、ステップ（Ｓ１０２）と、
前記受信した基準信号が、前記受信した基準信号の前記強度が前記少なくとも１つのデジタル遠隔ユニット（２０４）から送信されるとき、前記要求された強度を達成するように、前記少なくとも１つのデジタルリモートユニットのアンテナポート（２０４）にルーティングされる際に経由する前記ＤＡＳ（２００）のルーティングパスの利得を調整するステップ（Ｓ１０３）と、
を含むことを特徴とする、方法。
【請求項２】
前記受信された基準信号の前記強度を監視するステップ（Ｓ１０４）と、
前記監視された基準信号が、前記受信された基準信号の前記強度が変化したことを示す場合、さらに、前記ルーティングパスの利得を調整するステップ（Ｓ１０３）と、
をさらに含む、請求項１に記載の方法。
【請求項３】
前記受信した基準信号の前記測定された強度が、所定の範囲外である場合、ＤＡＳスーパバイザに警告するステップをさらに含む、請求項１または２に記載の方法。
【請求項４】
前記ルーティングパスの前記利得の前記調整するステップ（Ｓ１０３）は、前記受信した基準信号が経由した前記ルーティングパスに配置された可変利得増幅器（２４０）の前記利得を調整することにより実行される、請求項１ないし３のいずれか１項に記載の方法。
【請求項５】
前記基準信号の前記要求された強度を決定するステップ（Ｓ１０２）は、前記ＤＡＳによりアクセス可能なデータベースから、前記要求された強度の事前に設定された値を取得するステップによって実行される、請求項１ないし４のいずれか１項に記載の方法。
【請求項６】
ＤＡＳの少なくとも１つのデジタルマスターユニット（２０１）で受信された少なくとも１つの基準信号を、前記ＤＡＳの少なくとも１つのデジタルリモートユニット（２０４）に、ルーティングするように構成されたＤＡＳ（デジタル分散アンテナシステム）（２００）であって、
前記ＤＡＳは、
前記ＤＡＳに、前記受信した基準信号が送信された通信システムのタイプを識別させ、
受信した基準信号の強度を測定させ、
前記少なくとも１つのデジタルリモートユニット（２０４）によりサービスされるカバレッジエリア（２３４）に位置するワイヤレス通信デバイス（２２４）に送信される際に、受信した基準信号が有するべき要求された強度を決定させ、ここで、前記受信した基準信号が有するべき前記要求された強度を決定することは、通信システムの前記識別されたタイプによって規定されるように決定されるものであり、
受信した基準信号の強度が前記少なくとも１つのデジタル遠隔ユニット（２０４）からの送信時に要求された強度に達するように、受信した基準信号が、前記少なくとも１つのデジタルリモートユニット（２０４）のアンテナポートにルーティングされる、前記ＤＡＳ（２００）のルーティングパスの利得を調整させる
ように構成された少なくとも１つの処理ユニット（２６０）を備えることを特徴とする、ＤＡＳ（２００）。
【請求項７】
前記処理ユニット（２６０）は、
前記ＤＡＳに、前記受信した前記基準信号の前記強度を監視させ、
監視された基準信号が、前記受信した前記基準信号の強度が変更されたことを示す場合、前記ルーティングパスの前記利得をさらに調整させる
ようにさらに構成されている、請求項６に記載のＤＡＳ（２００）。
【請求項８】
前記処理ユニット（２６０）は、前記ＤＡＳに、前記受信した基準信号の前記測定された強度が、事前定義された範囲外である場合に、ＤＡＳスーパーバイザーに警告させるようにさらに構成されている、請求項６または７に記載のＤＡＳ（２００）。
【請求項９】
前記処理ユニット（２６０）は、前記ＤＡＳに、前記ルーティングパスの前記利得を調整する場合、前記受信した基準信号が経由した前記ルーティングパスに配置された可変利得アンプ（２４０）の前記利得を調整させるようにさらに構成されている、請求項６ないし８のいずれか１項に記載のＤＡＳ（２００）。
【請求項１０】
前記処理ユニット（２６０）は、前記ＤＡＳに、前記基準信号の前記要求された強度を決定する場合、前記ＤＡＳによりアクセス可能なデータベースから、前記要求された強度の事前に設定された値を取得させるようにさらに構成されている、請求項６ないし９のいずれか１項に記載のＤＡＳ（２００）。
【請求項１１】
コンピューター実行可能命令が、前記ＤＡＳ（２００）に含まれる処理ユニット（２６０）の上で実行されるとき、ＤＡＳ（２００）に、請求項１ないし５のいずれか１項に記載された方法を実行させるコンピューター実行可能命令を備える、コンピュータプログラム（２６１）。
【請求項１２】
請求項１１に記載のコンピュータプログラムを有するコンピュータ読取り可能メディア（２６２）を備えるコンピュータプログラム製品。
【国際調査報告】
2020511062.tif 000010
2020511062.tif 000011